(57)【要約】保管装置（２）が、とりわけ複数の飲物容器（２２）のために提供されている。装置（２）は、温度調節材（１４、１６）用の蓄積部と、蓄積部に配置された複数のホルダー（１２）とを具備している。ホルダー（１０）の各々は、使用時に飲物容器の実質的な部分を温度調節材（１４、１６）に浸して、飲物容器（２２）を配置するように形成されており、飲物容器（２２）は、使用のためそれから取り出すことができ、且つ温度調節のためそれに戻すことができる。更に保管装置（２）は、前記ホルダー（２２）の各々に関連した第一弾性部材（８）を具備している。第一部材（８）は、多数の移動可能な要素により形成されており、それらの要素は関連するホルダー（１０）を実質的に覆うために、通常位置に配置され、且つ前記飲物容器が前記ホルダー（１０）に配置されて、前記飲物容器（２２）をしっかり留めている間、開口位置へ移動可能である。
2004510946.tif 000002
【特許請求の範囲】
【請求項１】
温度調節材用の蓄積部と、蓄積部に配置された複数のホルダーとを具備し、前記各ホルダーが、（前記で定義した）飲物容器の実質的な一部分を使用時に温度調節材に浸して、飲物容器を配置するように形成された、飲物容器用の保管装置において、
飲物容器を使うため、そこから取り出したり、温度調節のためそこへ戻したりでき；前記各ホルダーに関連する第一弾性部材は、関連するホルダーを実質的に覆うため、通常位置に配置された多数の移動可能な要素により形成され、飲物容器が前記ホルダーに配置される時、前記飲物容器に嵌まっている間、開口位置へ移動可能であり、前記装置が、前記蓄積部を取り囲む少なくとも一つの壁部材と、個々のホルダーを利用できるようにした孔を具備したトップ部材と、を有し得ることを特徴とする保管装置。
【請求項２】
保管装置が、前記複数のホルダーを実質的に直立位置で支持するため配置された床部と、複数のホルダーと実質的に整列した孔を有する蓋またはトップ部材とを備えた、浅い箱であることを特徴とする請求項１に記載の保管装置。
【請求項３】
保管装置が、前記複数のホルダーを実質的に直立位置で支持するため配置され且つ、複数のホルダーと実質的に整列した孔を有する蓋またはトップ部材とを備えた、浅い箱であることを特徴とする請求項１に記載の保管装置。
【請求項４】
床部分と、前記床部分から直立に配置された少なくとも一つの壁部材を有し、保管コンパートメントと頂部開口部を画定し、組立体は、一つ以上の飲物容器を配置するように各々形成された一つ以上のホルダーと、前記一つ以上のホルダーに整列する一つまたはそれ以上の孔と有した、挿入部材を支持するか、または前記一つ以上のホルダーに整列する一つまたはそれ以上の孔と、飲物容器を配置するために各々形成された一つ以上のホルダーを組み込むように配置された、少なくとも一つの孔あきセクションを有したフレーム部材を具備し、フレーム部材は、前記一つの孔あきセクションを、コンパートメントにおいて前記床部分の上に配置し、それによって床部分と少なくとも一つの孔あきセクションとの間に、温度調節材料用の蓄積部を画定するように、各々形成されており、各前記の少なくとも一つの孔あきセクションは、各前記の少なくとも一つの挿入部を、一つ以上のホルダーを実質的に直立させ、使用時には少なくとも部分的に温度調節材に浸すように、受容し且つ支持するために配置され、前記一つ以上のホルダーの形態は、一つまたはそれ以上の飲物容器を使用するのためにそこから取り出し可能で、温度調節のためにそこに戻すことが可能なようになっており；更に組立体は、前記各ホルダーに関連した第一弾性部材を具備しており、前記第一部材は、普通位置に配置された、多数の移動可能な要素が、関連するホルダーを実質的に覆っており、飲物容器を前記ホルダーに配置したとき、前記飲物容器をしっかり留める間、開口位置へ移動可能なように形成されることを特徴とする保管装置用のホルダー組立体。
【請求項５】
前記挿入部材が、前記複数のホルダーを実質的な直立位置に支持するように構成されることを特徴とする請求項４に記載のホルダー組立体。
【請求項６】
一つ以上の前記ホルダーが、複数の飲物缶及び／または飲物ボトルを保持するように、且つ／または複数の食物製品及び飲物の箱型パッケージのために形成されることを特徴とする請求項４または５に記載のホルダー組立体。
【請求項７】
前記保管装置がクーラーまたは保温装置であり、前記温度調節材が冷媒であって、保管装置がクーラーまたは熱発生材であり、保管装置が保温材であることを特徴とする請求項１〜６のいずれか一項に記載の発明。
【請求項８】
更に蓄積部内の前記温度調節材のレベルを表示する、レベル表示手段を具備することを特徴とする請求項１〜７のいずれか一項に記載の発明。
【請求項９】
複数のホルダーが、前記温度調節材中に伸びるように構成された、スリーブの形をしており、複数のスリーブが、温度調節材を浸される飲物容器に達することができるように、複数の間隙と孔を有することを特徴とする請求項１〜８のいずれか一項に記載の発明。
【請求項１０】
各孔が、スリーブと実質的に同軸に配置されたカラーを受容するのに適しており、カラーは前記第一弾性部材を、そこから放射状内向きに延びる前記要素と組み合わせることを特徴とする請求項９に記載の発明。
【請求項１１】
複数の前記スリーブの少なくとも一つが、第二弾性部材を前記第一弾性部材の下に吊るための内梁を有し、第二部材が飲物容器をそこに支持するため放射状内向きに延び、飲物容器に下方へ力を加えることによって、下へ移動させることができる、多数の移動可能な要素を有することを特徴とする請求項９または１０に記載の発明。
【請求項１２】
複数の要素は、複数のテーパー状または朝顔形のライナーの形をしているか、スリーブ内に位置する飲物容器を個々に案内するため、複数のフラップをであることを特徴とする請求項９〜１１のいずれか一項に記載の発明。
【請求項１３】
第一弾性部材が、第一分割仕切板の形をしており、その構成要素が、複数のフラップの形をしていて、飲物容器が挿入されると下方へ移動し、引き出されると再び閉じるように構成されることを特徴とする請求項９〜１１のいずれか一項に記載の発明。
【請求項１４】
第二部材は、分割仕切板の形をしており、その構成要素がフラップの形をしていることを特徴とする請求項１１に記載の発明。
【請求項１５】
前記保管装置が、温度調節材を蓄積部の中に挿入するポートを有することを特徴とする請求項９〜１４のいずれか一項に記載の発明。
【請求項１６】
閉鎖部材が、取り外し可能でポートを閉じるために備えられることを特徴とする請求項１５に記載の発明。
【請求項１７】
温度調節材が氷であり、複数のスリーブにおける間隙または孔は、溶けた氷のみ複数の間隙または孔を介して流れることができて、飲物容器が複数のスリーブ内で溶けた氷に浸されることを特徴とする請求項９〜１６のいずれか一項に記載の発明。
【請求項１８】
成形組立体が、単一ユニットを形成するため着脱可能な接続をするために形成された、多数の成形セクションを具備し、各成形セクションは、内部チャンバを画定するために配置された少なくとも一つのハウジング壁と、その一端にチャンバーと接続する口部を具備したハウジング有しており、前記少なくとも一つのハウジング壁は、複数の第一接続手段と、隣接する成形セクションの第一接続手段に対し、着脱可能な接続に互換性がある、複数の第二接続手段とを具備しており、使用時に多数の成形セクションが、一方の成形セクションの第一接続手段を、別の成形セクションの第二接続手段に接続することによって、単一ユニットとして構成され、液状の冷媒が、接続された複数の成形セクションのチャンバの中に、その個々の口部を介して入れられ、成形組立体が冷媒を固めてブロック形状にする処理を受け、その後、接続された複数の成形セクションは、冷媒として本発明に使用するため、その中の冷媒ブロックを空にするように選択的に分離させることができる、ことを特徴とする請求項１〜１７のいずれか一項に記載の本発明を使用することに関して、ブロック形状の冷媒を形成する成形組立体。
【請求項１９】
前記ハウジングが、口部と逆の端部にハンドル部分を有しており、その中の冷媒ブロックを空にする時に、ユーザーが成形セクションを把持することができることを特徴とする請求項１８に記載の組立体。
【請求項２０】
更に少なくとも一つの前記成形組立体を収納するのに適したキャリアを具備しており、キャリアは、複数の冷媒がより長い時間固まったままするように、熱伝導を最少にする断熱構造部と、少なくとも一つの前記成形組立体を収納するための中空部と、中空部を利用できるように閉じる閉鎖部材とを有することを特徴とする請求項１９に記載の組立体。
【請求項２１】
各々の前記成形セクションは、その前記一端にスペーサ手段を有しており、前記一つ以上の成形組立体が、中空部にある間、閉鎖手段が冷媒から間をあけて配置されることを特徴とする請求項２０に記載の組立体。
【発明の詳細な説明】
【０００１】
（技術分野）
本発明は、飲物缶、ボトル、箱パック飲物、紙コップまたはフードボックスのような、飲物及び食物容器用の保管装置に関するものである。
【０００２】
本発明は、飲物缶、ボトル、箱パック飲物、紙コップまたはフードボックスのような、飲物及び食物容器用の保管装置用のためのホルダー組立体にも関するものである。
【０００３】
（背景技術）
こぼれたり、徐々に温まることによる飲物及び食物の浪費は、温まる程度に問題である。標準的なエスキータイプ容器から、または保冷ユニットから得られる飲物及び食物は、もし短い間に消費されないと、すぐに温まって、まずくなるか、或いはこぼすことによっても浪費される。標準的なポリウレタンでライニングされた飲物または小瓶ボトルホルダーは、短時間だけ冷たいままに保つ。それはまた、車両やボートにおいて不安定である。有利な効果をもたらすためには、ゲルフローズンドリンクのライナー（ｇｅｌ ｆｒｏｚｅｎ ｄｒｉｎｋ ｌｉｎｅｒｓ）を、再冷凍しなければならない。
【０００４】
（発明の開示）
本明細書において、用語“飲物容器”は飲物容器または食物容器に等しく、飲料物または食物を収容するために使用できる、いかなるタイプの缶、ボトル、箱パック、使い捨てカップ、及び箱を含んでいる。
【０００５】
本発明の目的は、上記の従来技術のいずれかを一定レベルに軽減するか、減らす保管装置を提供することである。
【０００６】
（発明を実施するための最良の形態）
一つの見方で、本発明は温度調節材用の蓄積部と、蓄積部に配置された複数のホルダーとを具備し、前記各ホルダーが、（前記で定義した）飲物容器の実質的な一部分を使用時に温度調節材に浸して、飲物容器を配置するように形成された、とりわけ飲物容器用の保管装置を提供し、それによって、飲物容器を使うため、そこから取り出したり、温度調節のためそこへ戻したりできる。更に保管装置は、前記各ホルダーに関連した第一弾性部材を具備する。前記第一部材は、多数の移動可能な要素により形成され、それら移動可能な要素は、通常位置で関連するホルダーを実質的に覆うように、配置されており、飲物容器が前記ホルダーに配置されると、前記飲物容器に嵌まっている間、開口位置へ移動可能である。
【０００７】
別の見方で、本発明は保管コンパートメントと頂部開口部を画定するため、前記床部分から直立に配置された少なくとも一つの壁部材と、床部分とを有した、保管装置用にホルダー組立体を提供する。組立体は、少なくとも一つの孔あきセクションを有したフレーム部材と、一つ以上の飲物容器を配置するように各々形成された一つ以上のホルダーを有した、少なくとも一つの挿入部材とを具備している。フレーム部材は、コンパートメントにおいて、前記一つの孔あきセクションを前記床部分の上に配置するように、各々形成されており、それによって床部分と少なくとも一つの孔あきセクションとの間に、温度調節材料用の蓄積部を画定する。その或いは各前記の少なくとも一つの孔あきセクションは、その或いは各前記の少なくとも一つの挿入部を、一つ以上のホルダーを実質的に直立させ、使用時には少なくとも部分的に温度調節材に浸すように、受容し且つ支持するために配置される。前記一つ以上のホルダーの形態は、一つまたはそれ以上の飲物容器を使用するのためにそこから取り出し可能で、温度調節のためにそこに戻すことが可能なようになっている。更に組立体は、前記各ホルダーに関連した第一弾性部材を具備する。前記第一部材は、通常位置に配置された、多数の移動可能な要素が、関連するホルダーを実質的に覆い、且つ飲物容器を前記ホルダーに配置したとき、前記飲物容器にしっかり留まっている間、開口位置へ移動可能なように形成される。
【０００８】
前記少なくとも一つの挿入部が、複数の飲物缶及び／または飲物ボトル用に形成された一つ以上のホルダーを具備した挿入部と、複数の食物製品及び箱型パッケージの飲物用の一つ以上のホルダーを具備した挿入部と、を備えることは好ましい。
【０００９】
一形態において、前記保管装置はクーラーであり、前記温度調節材は冷媒である。別の形態において、保管装置は保温装置であり、前記温度調節材は発熱材である。
【００１０】
前記保管装置は、前記蓄積部を取り囲む少なくとも一つの壁部材と、個々のホルダーを利用しやすいように孔を具備したトップ部材を有し得る。
【００１１】
有利には、保管装置は蓄積部ないの前記温度調節材のレベルを表示する、レベル表示手段を具備している。レベル表示手段は、特定または一つの少なくとも一つの壁部材における孔に固定された伸長レンズの形をし得る。
【００１２】
典型的に管理装置は、前記ホルダーを実質的な直立位置に支持するために配置された床部分を具備した、浅い箱である。ホルダーは、床部分から延びたスリーブとして形成され得、前記スリーブが前記温度調節材の上へ、上向きに延びる。
【００１３】
また浅い箱は、蓋またはトップ部材得るか、各挿入部が前記ホルダーを実質的な直立位置に支持するために、配置される。ホルダーは、前記温度調節材の中に延びるスリーブとして形成することができ、蓋／トップ部材の各孔、または一つまたはそれ以上の挿入において支持されるように配置され得る。
【００１４】
複数のスリーブは、温度調節材料を浸された飲物容器に到達させるため、複数の間隙または孔を有し得る。
【００１５】
また、トップ部材は蓋を有し得ないで、箱はブロー成形体または、それによる孔を具備した回転成形体であり得るか、各挿入部には一つまたはそれ以上の孔が、スリーブと実質的に同軸な複数のカラーを受容するため、配置される。
【００１６】
好ましくは、前記複数のカラーの各々が、前記第一弾性部材を、それから放射状内向きに伸びる前記複数の要素に組み込む。複数の要素は、または複数のスリーブ内に配置するため、個々に複数の飲物容器を案内するように、テーパー状または朝顔形の複数のライナーまたはフラップの形をし得る。
【００１７】
別の構成では、前記弾性部材の各々は、飲物容器が挿入されると、下方へ外れるように配置されたフラップを具備し、それが引き出しの際に再閉鎖する、第一分割切板の形をし得る。
【００１８】
複数の前記スリーブの少なくとも一つが、第二弾性部材を前記第一弾性部材の下に吊るため、内梁を有し得る。また第二部材は、飲物容器を支持するため放射状内向きに延びる、多数の移動可能な要素も有しており、下向きの力を飲物容器に加えることによって、下方へ移動可能である。第一部材に関連して、第二部材は複数のフラップを具備した分割仕切板であり得る。第二分割仕切板は、前記第一分割仕切板を介して挿入される比較的短い飲物容器をそこで支持し、且つそれを通して比較的長い飲物容器を挿入するため、構成される。そのようにして、同じホルダーが、ボトル及び缶を含む異なるサイズの飲物容器を収容できる。
【００１９】
箱は普通、断熱される。それは別の方法で行ってもよい。それは発泡材料、または詰め込み断熱材（ｐａｄｄｅｄ ｉｎｓｕｌａｔｉｏｎ）によって取り囲まれたシェルにより成形されてもよい。
【００２０】
装置／ホルダー組立体は、好ましくは温度調節材料を蓄積部の中に挿入するポートを有する。閉鎖部材が、有利には取り外しでき、ポートを閉じるために備えられる。ポートは、温度調節材を蓄積部の中に落とせるように、蓄積部の中心部近くに配置され得、それは複数のスリーブの間の空間を占めるようになっている。ゆえに複数の飲物容器用の空間は、温度調節材により満たされたまま保たれる。もし温度調節材が氷であれば、複数の飲物容器用の空間は、氷なしの冷媒で満たしたまま保たれる。それにより、常に液体で満たされ、氷のない空間があって、そこに複数の飲物容器を浸す。
【００２１】
上記のような装置／ホルダー組立体に使用するブロック形成冷媒を形成する、成形組立体がある。成形組立体は、取り外し可能な接続部を形成した、多数の成形セクションを、単一ユニットを形成するため備える。各成形セクションは、内部チャンバを画定するために配置された、少なくとも一つのハウジング壁と、ハウジング壁の一端にチャンバと接続する口部とを具備したハウジングを有している。前記少なくとも一つのハウジング壁は、第一接続手段と第二接続手段とを具備しており、それらは近接する成形セクションの第一接続手段に対する着脱可能な接続に関して、互換性がある。使用時に多数の成形セクションが、一方の成形セクションの第一接続手段を、別の成形セクションの第二接続手段に接続することによって、単一ユニットとして構成され、液体状の冷媒は、接続された複数の成形セクションのチャンバの中に、その各口部を介して導かれる。そして成形組立体が、冷媒をブロック形状に固める処理を受ける。関連した複数の成形セクションは、中の複数の冷媒ブロックを、上記のような装置／ホルダー組立体用の冷媒として使用するため、空にするのに選択的に離すことができる。
【００２２】
好ましくは、前記ハウジングは、口部に向かい合ったその端部に、ハンドル部分を有して、内部の冷媒ブロックを空にする時、ユーザーが成形部分を持つことができるようになっている。
【００２３】
有利には、本発明は一つ以上の成形組立体を収容するのに適したキャリアを提供する。好ましくはキャリアは、熱交換を最少にする断熱構造を有して、複数の冷媒が長時間固まったままになる。キャリアは実質的に箱形をしており、前記一つ以上の成形組立体を収容する中空部と、中空部を利用しやすいように閉じる閉鎖部材を有する。
【００２４】
前記成形セクションの各々は、その前記一端にスペーサも有して、前記一つ以上の成形組立体が中空部にある間、閉鎖手段が冷媒から空間をあけるようになっている。
【００２５】
本発明による確実で制限するものでない実施形態を、添付図面を参照して、ここに一例として記載する。
【００２６】
図１〜図３を参照すると、本発明による保管装置の実施形態は、発泡ＡＢＳで回転成形することによって、作られた箱２の形をしている。
【００２７】
箱２の頂部は、四つの孔４を有し、その各々がポリエチレン製カラー６を受容している。カラー６の各々は、個々の孔４を閉鎖するゴム製仕切板８を有している。各仕切板８は、四つのフラップを形成するため十字スリットが入れられている。
【００２８】
ホルダースリーブ１０は、各々の孔４と整列して、箱２の床部１２に固定されている。スリーブ１０は従って、個々のカラー６と同軸であり、個々のカラー６の直ぐ下まで延びている。
【００２９】
各々のスリーブ１０は、冷水１４を通すが、氷塊１６は通さない、穴１１を有している。氷塊１６は、キャップ１８をポート１７から取り外すと、ポート１７を介して入れられる。
【００３０】
栓２０（図１及び図５参照）は、箱２の壁にある排水口を閉じるため取り外し可能に取り付けられている。箱２内の水レベルが、非常に高い時、栓２０を排水のため抜くことができ、それによって水レベルを調節でき、全てのスリーブ１０が飲物容器２２で塞がっても、流出しないようにしている。水レベル示度窓２１は、壁に取り付けられており、それによりキャップ１８を取り外す必要なく、水レベルを見ることができる。
【００３１】
仕切板８は、容器２２に対して把持しており、それにより容器を直立位置に維持する際に補助している。同時に、それらは熱の伝導を最少にするため、シール作用をもたらし、箱２内の冷媒は比較的長時間の消費のため、容器２２の内の飲物を適切に冷えたままにできる。
【００３２】
図３において、示されている飲物容器２２は、スリーブ１０から引き出される。このスリーブ１０に関連したカラー６の仕切板８は、容器２２に把持し、容器２２が矢印で示されたような方向に動くと、水を容器２２から拭き取る。容器２２を引いて仕切板を完全に通過すると、仕切板８は、カラーに関連した孔４を閉じる。
【００３３】
図示していないが、分割板８はそれ自体、カラー６によって決められた最大値まで、異なるサイズの容器２２のために調節することは理解されよう。
【００３４】
箱２は、箱２はある場所から他の場所へ便利に運べるように、持ち運びハンドル２４を有している。箱２は、箱２を車両座席２８の下のラック２６の中に置くために、レール部材を有することができる（図４）。また図１に示されているハンドル２４は、レール部材として機能するのに適し得る。この場合、ラック２６が、図４に示されているよりも高く配置される。
【００３５】
ブラケット３０（図６参照）を、ボートレール３２の周囲で箱２を支持するように形成することができる。図示していないが、箱２は、車両の一部分に固定された取り付けブラケットを受容する、凹部のようなブラケット連結手段、または車両における凹部の周囲の周辺部に連結する伸長フランジを有するように、形成することができることは理解されよう。別に、箱２は車両座席などのような製品に、箱２を調整できるように紐で縛ったり、ストラップ及びスナップクリップ構造体を備えることができる。
【００３６】
図７を参照すると、そこに示されている保管装置２は、スリーブ１０の形態を除いて、上記の装置２に実質的に似ている。
【００３７】
図７に示されているスリーブ１０の各々は、関連した孔４にわたって配置され且つ吊るされたリム３４（図８参照）を有している。リム３４は内梁３６を有しており、それにカラー６がクランプ留めされ、そこから仕切板８が、図９及び図１０に示されているように、放射状内向きに延びている。またスリーブ１０は、その下端部からある程度まで、別の梁３８を有している。放射状内向きに延びる仕切板８も有する、別のカラーは、梁３８にクランプ留めされている。下方の梁３８における分割板８は、図７に示されているように、それが飲料缶２２を支持できるように充分固く作られる。スリーブ１０は、ボトル２２のような高い飲物容器を保持するために使用される際に、ユーザーは仕切板８を図７に示されているように下向きに曲げて動かすために、少しの圧力を加えると、ボトル２２が装置２の床部で静止することができる。
【００３８】
図７における装置２用のスリーブ１０は、上記した円形の孔１１の代わりに、スロット４０と凹部４２の形をした孔を有している。
【００３９】
図９及び図１０に示されているような仕切板８は、中心穴４４に位置した八つのセクター形状のフラップを有している。孔４６は、カラー６に隣接して、隣接したフラップの間に配置されており、それによりフラップを容易に曲げることができる。
【００４０】
図１１を参照すると、本発明によるホルダー組立体５０を示している。組立体５０は、飲物容器２２と食物製品５２をアイスボックス１００（一般にＥｓｋｙと称される）に保持するものである。組立体５０は、三つの孔あきセクション５６を具備したフレーム部材５４を有している。フレーム部材５４は、そのコーナーに脚部５８を具備している。脚部５８は、フレーム部材５４がアイスボックス１００に配置されると、孔あきセクション５６がその伸長部の底部の上に配置するような寸法をしており、セクション５６における挿入部６０をフレーム部材５４上で支持することができる。そのようにして、フレーム部材５４の一は、アイスボックス１００の周囲に点線で示されている。
【００４１】
挿入部６０は、異なる使用に適することができる。この実施形態において、挿入部の二つは、飲物容器２２用のもので、一つは食物製品５３用のものである。飲物容器２２を保持する挿入部６０の各々は、スリーブ１０を保持するアレイを有しており、その各々は図７〜図１０を参照して記載したように、カラー６と仕切板８に関連している。食物製品５２用の挿入部は、頂部に蓋６３と、基部からある程度上の位置に配置されたフランジ６４とを具備した、箱６２の形をしている。フランジ６４は、箱６２が孔あきセクション５６の中に配置された時、箱をフレーム部材５４上で支持することができるような寸法をしている。
【００４２】
この実施形態において、氷塊６０のような冷媒は、前述の孔あきセクションが挿入部６０を受容する前に、アイスボックス１００に配置される。
【００４３】
図１２に示された実施形態のホルダー組立体５０は、飲物容器２２用の挿入部が、フレーム部材５４と一体型に形成されていること、及びフレーム部材５４が、食物製品挿入部６０を受容するため、高くなった孔あきセクション５６を有すること以外は、図１１における組立体５０と実質的に類似である。この挿入部６０は、フレーム部材５４上に止めるため、頂部フランジ６４を具備した箱６２を有している。
【００４４】
図１３は、接続可能な成形セクション７２のアレイを具備した、冷媒成形組立体７０と、接続セクション７２をしまいこむための断熱キャリーバッグ７４とを示している。
【００４５】
セクション７２の各々は、中空を設けて結合した壁を有している。一方の壁は、空間をあけた溝７６の形をした雌型接続手段を有し、その他方の壁は、空間をあけた突出部７８の形をした互換性のある雄型接続手段を有している。溝７６及び突出部７８は、セクション７２が接続されると、分離させられるまで、互いにとどまるため、スナップ止めするように形成されている。接続されたセクション７２のアレイは、しまい込み用のバッグ７４に配置され、バッグ７４は、成形セクション７２のアレイの挿入及び取り外しのための、閉鎖可能なトップ開口部を有している。バッグ７４の頂部に氷塊１６が接触しないようにするため、セクション７２は、バッグ７４のトップカバーを冷媒に接触するのを防ぐための空間として作用する、高くなった部分８０を有している。
【００４６】
セクション７２は、冷媒塊１６を、図１４に示されるような保管装置の中にあけるため、セクション７２を逆さにした時、それをユーザーが把持するためハンドルとして利用される狭い下方部分も有している。
【００４７】
上記の実施形態の利点は：
１．もしボートまたは車両が、冷却装置を有していれば、その装置を持運び可能で、氷で再充填できること、
２．もし装置を逆さにしても、実質的な漏れなしで正しく扱えること、
３．仕切板が、長期間容器を冷たくまたは暖かく保つのに役立ち、それらが環境に対する、または環境による熱伝導を減らすこと、
４．仕切板は、容器が装置から取り出す際に、冷媒または保温材を容器から拭き取ること、
であることは明らかである。
【００４８】
上記は本発明の図示による一例として示されたもので、ここの上記のような本発明の広い目的及び範囲内で、それに関する多くの変更及び変形例は、専門家にとって明らかであろう。
【図面の簡単な説明】
【図１】
本発明の一実施形態によるフォーユニット保管装置の斜視図。
【図２】
図１に示された装置の断面図。
【図３】
図１に示された装置に使用される仕切板のシール作用を示した図。
【図４】
図１に示された装置の収容場所を示した図。
【図５】
本発明の別の実施形態によるツーユニット保管装置の斜視図。
【図６】
図５に示されている装置用に船体取り付け配置図。
【図７】
本発明の更なる実施形態による津ユニット保管装置の断面図。
【図８】
本発明による装置用のホルダーの一例の断面図。
【図９】
ホルダー用の分割仕切板の一例を示す側面図。
【図１０】
分割仕切板の平面図。
【図１１】
本発明による、アイスボックス用のホルダー組立体の一実施形態の拡大図。
【図１２】
本発明による、アイスボックス用のホルダー組立体の別の実施形態の拡大図。
【図１３】
本発明による保管装置及びホルダー組立体用の成形組立体の従来の形態。
【図１４】
本発明による保管組立体の中に成形冷媒ブロックを導くために使用される図１３の成形組立体。
【国際公開パンフレット】
2004510946.tif 000003
2004510946.tif 000004
2004510946.tif 000005
2004510946.tif 000006
2004510946.tif 000007
2004510946.tif 000008
2004510946.tif 000009
2004510946.tif 000010
2004510946.tif 000011
2004510946.tif 000012
2004510946.tif 000013
2004510946.tif 000014
2004510946.tif 000015
2004510946.tif 000016
2004510946.tif 000017
2004510946.tif 000018
2004510946.tif 000019
2004510946.tif 000020
2004510946.tif 000021
2004510946.tif 000022
2004510946.tif 000023
2004510946.tif 000024
2004510946.tif 000025
2004510946.tif 000026
2004510946.tif 000027
2004510946.tif 000028
2004510946.tif 000029
【手続補正書】
【提出日】平成14年7月1日(2002.7.1)
【手続補正１】
【補正対象書類名】明細書
【補正対象項目名】特許請求の範囲
【補正方法】変更
【補正の内容】
【特許請求の範囲】
【請求項１】
温度調節材用の蓄積部と、蓄積部に配置された複数のホルダーとを具備し、前記各ホルダーが、（前記で定義した）飲物容器の実質的な一部分を使用時に温度調節材に浸して、飲物容器を配置するように形成され、複数のホルダーがスリーブの形で、前記温度調節材の中に延びるように配置されており、スリーブが温度調節材を浸された複数の飲物容器に到達させるため、間隙または孔を有した、飲物容器用の保管装置において、
飲物容器を使うため、そこから取り出したり、温度調節のためそこへ戻したりでき；前記各ホルダーに関連する第一弾性部材は、関連するホルダーを実質的に覆うため、通常位置に配置された多数の移動可能な要素により形成され、飲物容器が前記ホルダーに配置される時、前記飲物容器に嵌まっている間、開口位置へ移動可能であり、前記装置が、前記蓄積部を取り囲む少なくとも一つの壁部材と、個々のホルダーを利用できるようにした孔を具備したトップ部材とを有し得、各孔は、複数のスリーブと実質的に同軸に配置されたカラーを受容するのに適しており、カラーが、前記第一弾性部材とそれから放射状内向きに伸びる複数の前記要素を、組み合わせることを特徴とする保管装置。
【請求項２】
保管装置が、前記複数のホルダーを実質的に直立位置で支持するため配置された床部と、複数のホルダーと実質的に整列した孔を有する蓋またはトップ部材とを備えた、浅い箱であることを特徴とする請求項１に記載の保管装置。
【請求項３】
保管装置が、前記複数のホルダーを実質的に直立位置で支持するため配置され且つ、複数のホルダーと実質的に整列した孔を有する蓋またはトップ部材とを備えた、浅い箱であることを特徴とする請求項１に記載の保管装置。
【請求項４】
床部分と、前記床部分から直立に配置された少なくとも一つの壁部材を有し、保管コンパートメントと頂部開口部を画定し、組立体は、一つ以上の飲物容器を配置するように各々形成された一つ以上のホルダーと、前記一つ以上のホルダーに整列する一つまたはそれ以上の孔と有した、挿入部材を支持するか、または前記一つ以上のホルダーに整列する一つまたはそれ以上の孔と、飲物容器を配置するために各々形成された一つ以上のホルダーを組み合わせるように配置された、少なくとも一つの孔あきセクションを有したフレーム部材を具備し、フレーム部材は、前記一つの孔あきセクションを、コンパートメントにおいて前記床部分の上に配置し、それによって床部分と少なくとも一つの孔あきセクションとの間に、温度調節材料用の蓄積部を画定するように、各々形成されており、各前記の少なくとも一つの孔あきセクションは、前記の少なくとも一つの挿入部を、一つ以上のホルダーを実質的に直立させ、使用時には少なくとも部分的に温度調節材に浸すように、受容し且つ支持するために配置され、複数のホルダーがスリーブの形で、前記温度調節材の中に延びるように配置されており、スリーブが温度調節材を浸された複数の飲物容器に到達させるため、間隙または孔を有し、前記一つ以上のホルダーの形態は、一つまたはそれ以上の飲物容器を使用するのためにそこから取り出し可能で、温度調節のためにそこに戻すことが可能なようになっており；更に組立体は、前記各ホルダーに関連した第一弾性部材を具備しており、前記第一部材は、通常位置で多数の移動可能な要素が、関連するホルダーを実質的に覆うように配置され、飲物容器を前記ホルダーに配置したとき、前記飲物容器をしっかり留める間、移動可能なように形成され、各孔は、複数のスリーブと実質的に同軸に配置されたカラーを受容するのに適しており、カラーが、前記第一弾性部材とそれから放射状内向きに伸びる複数の前記要素を、組み合わせることを特徴とする保管装置用のホルダー組立体。
【請求項５】
前記挿入部材が、前記複数のホルダーを実質的な直立位置に支持するように構成されることを特徴とする請求項４に記載のホルダー組立体。
【請求項６】
一つ以上の前記ホルダーが、複数の飲物缶及び／または飲物ボトルを保持するように、且つ／または複数の食物製品及び飲物の箱型パッケージのために形成されることを特徴とする請求項４または５に記載のホルダー組立体。
【請求項７】
前記保管装置がクーラーまたは保温装置であり、前記温度調節材が冷媒であって、保管装置がクーラーまたは熱発生材であり、保管装置が保温材であることを特徴とする請求項１〜６のいずれか一項に記載の発明。
【請求項８】
更に蓄積部内の前記温度調節材のレベルを表示する、レベル表示手段を具備することを特徴とする請求項１〜７のいずれか一項に記載の発明。
【請求項９】
複数の前記スリーブの少なくとも一つが、第二弾性部材を前記第一弾性部材の下に吊るための内梁を有し、第二部材が飲物容器をそこに支持するため放射状内向きに延び、飲物容器に下方へ力を加えることによって、下へ移動させることができる、多数の移動可能な要素を有することを特徴とする請求項１または８に記載の発明。
【請求項１０】
複数の要素は、複数のテーパー状または朝顔形のライナーの形をしているか、スリーブ内に位置する飲物容器を個々に案内するため、複数のフラップをであることを特徴とする請求項１〜９のいずれか一項に記載の発明。
【請求項１１】
第一弾性部材が、第一分割仕切板の形をしており、その構成要素が、複数のフラップの形をしていて、飲物容器が挿入されると下方へ移動し、引き出されると再び閉じるように構成されることを特徴とする請求項１〜９のいずれか一項に記載の発明。
【請求項１２】
第二部材は、分割仕切板の形をしており、その構成要素がフラップの形をしていることを特徴とする請求項９に記載の発明。
【請求項１３】
前記保管装置が、温度調節材を蓄積部の中に挿入するポートを有することを特徴とする請求項１〜１２のいずれか一項に記載の発明。
【請求項１４】
閉鎖部材が、取り外し可能でポートを閉じるために備えられることを特徴とする請求項１３に記載の発明。
【請求項１５】
温度調節材が氷であり、複数のスリーブにおける間隙または孔は、溶けた氷のみ複数の間隙または孔を介して流れることができて、飲物容器が複数のスリーブ内で溶けた氷に浸されることを特徴とする請求項１〜１４のいずれか一項に記載の発明。
【請求項１６】
成形組立体が、単一ユニットを形成するため着脱可能な接続をするために形成された、多数の成形セクションを具備し、各成形セクションは、内部チャンバを画定するために配置された少なくとも一つのハウジング壁と、その一端にチャンバーと接続する口部を具備したハウジング有しており、前記少なくとも一つのハウジング壁は、複数の第一接続手段と、隣接する成形セクションの第一接続手段に対し、着脱可能な接続に互換性がある、複数の第二接続手段とを具備しており、使用時に多数の成形セクションが、一方の成形セクションの第一接続手段を、別の成形セクションの第二接続手段に接続することによって、単一ユニットとして構成され、液状の冷媒が、接続された複数の成形セクションのチャンバの中に、その個々の口部を介して入れられ、成形組立体が冷媒を固めてブロック形状にする処理を受け、その後、接続された複数の成形セクションは、冷媒として本発明に使用するため、その中の冷媒ブロックを空にするように選択的に分離させることができる、ことを特徴とする請求項１〜１５のいずれか一項に記載の本発明を使用することに関して、ブロック形状の冷媒を形成する成形組立体。
【請求項１７】
前記ハウジングが、口部と逆の端部にハンドル部分を有しており、その中の冷媒ブロックを空にする時に、ユーザーが成形セクションを把持することができることを特徴とする請求項１６に記載の組立体。
【請求項１８】
更に少なくとも一つの前記成形組立体を収納するのに適したキャリアを具備しており、キャリアは、複数の冷媒がより長い時間固まったままするように、熱伝導を最少にする断熱構造部と、少なくとも一つの前記成形組立体を収納するための中空部と、中空部を利用できるように閉じる閉鎖部材とを有することを特徴とする請求項１７に記載の組立体。
【請求項１９】
各々の前記成形セクションは、その前記一端にスペーサ手段を有しており、前記一つ以上の成形組立体が、中空部にある間、閉鎖手段が冷媒から間をあけて配置されることを特徴とする請求項１８に記載の組立体。
【国際調査報告】
2004510946.tif 000030
2004510946.tif 000031
2004510946.tif 000032
2004510946.tif 000033